(57)【要約】【課題】  内部への物品の収容および取り出し作業を効率よく実施することができ、しかも、振動等によって物品が損傷することを確実に防止することができる。【解決手段】  複数の物品が収容される容器本体１０内部に、それぞれが伸縮可能な複数の仕切り部材２１が、相互に平行な水平状態でそれぞれ配置されている。各仕切り部材２１のそれぞれの端部は、容器本体１０における相互に対向する内面にそれぞれ設けられた一対の係止部材３０によって、水平方向にスライド可能に支持されるとともに、その水平方向の所定位置にて固定される。【選択図】  図２
2006008155.tif 000002
【特許請求の範囲】
【請求項１】
複数の物品が収容される容器本体と、
該容器本体の内部において、それぞれが伸縮可能であって、相互に平行な水平状態でそれぞれ配置された複数の仕切り部材と、
前記容器本体における相互に対向する内面にそれぞれ設けられており、前記各仕切り部材のそれぞれの端部を、水平方向にスライド可能に支持するとともに、該水平方向の所定位置にて固定する一対の係止部材と、
を具備する物品収容容器。
【請求項２】
前記仕切り部材はコイルスプリングである請求項１に記載の物品収容容器。
【請求項３】
前記仕切り部材はビニールテープである請求項１に記載の物品収容容器。
【請求項４】
前記係止部材は、前記容器本体の相互に対向する内面における所定の高さ位置に水平状態で設けられたガイドレールと、前記各仕切り部材の端部にそれぞれ取り付けられており、該ガイドレールに沿ってそれぞれがスライド可能になった複数のスライド部材と、前記各スライド部材を前記ガイドレールにおける所望の位置にてそれぞれ固定する複数の固定部材とを備える請求項１に記載の物品収容容器。
【請求項５】
前記スライド部材はボルトであり、前記固定部材は該ボルトにネジ結合されるナット部材である請求項４に記載の物品収容容器。
【発明の詳細な説明】
【技術分野】
【０００１】
本発明は、各種物品を収容して搬送するために使用される物品収容容器に関し、特に、複数枚の平板状物品の搬送に好適に使用することができる物品収容容器に関する。
【背景技術】
【０００２】
各種製品の製造工場等において、各種物品を工場内に搬入するために、上面が開放された中空の直方体状の物品収容容器（コンテナ)が使用される。平板状の物品を工場内に搬入する場合にも、このような物品収容容器が使用されるが、収容される平板状の物品が容易に変形および損傷するようなときには、物品収容容器内にて上下方向に積み重ねることなく、物品収容容器の側面に対して立てかけることによって、垂直状態に対して若干傾斜した状態で収容される。
【０００３】
この場合、物品収容容器内に収容された平板状物品の変形および損傷を防止するために、例えば、１枚の緩衝シートが、物品収容容器と平板状物品との間、平板状物品同士の間に配置することが行われる。しかしながら、このように、複数枚の平板状物品を物品収容容器内に収容する際に、１枚の緩衝シートを、物品収容容器内に収容される各平板状物品の両側に順次沿わせる作業は、作業員による手作業によって行われており、複数枚の平板状物品を効率よく物品収容容器内に収容することができないという問題がある。
【０００４】
このような問題を解決するために、実開平６−５９２３０号公報（特許文献１）には、物品収容箱内部に水平状態で配置される複数の支持棒を、物品収容箱の内面に取り付けられた案内レールによってそれぞれスライド可能に支持するとともに、各支持棒に、可撓性を有する仕切り素地を波形状に掛け渡すことによって、物品収容箱内を仕切り素地によって複数の物品収容室に仕切る構成が開示されている。このような物品収容箱では、仕切り素地によって内部に形成される各物品収容室に物品がそれぞれ収容され、物品収容箱内に収容される各物品は、他の物品または物品収容箱の内面との間に仕切り素地が介在されることになり、各物品同士の接触等による損傷が防止される。
【特許文献１】実開平６−５９２３０号公報
【発明の開示】
【発明が解決しようとする課題】
【０００５】
前記特許文献１に開示された物品収容箱では、スライド可能に構成された複数の支持棒に対して、可撓性を有する仕切り素地を波形状に掛け渡すことによって物品収容室を形成し、さらには、形成された物品収容室のそれぞれに対して１つの物品を収容する必要がある。この場合、仕切り素地によって物品収容室をそれぞれ所定の状態に形成し、形成された物品収容室内に物品をそれぞれ収容する必要があり、物品の収容作業は、必ずしも効率よく実施することができるものではない。
【０００６】
また、可撓性を有する仕切り素地を使用する必要があり、部品点数が増加するという問題もある。
【０００７】
さらに、可撓性を有する仕切り素地は、例えば可撓性のポリプロピレンシートが使用されており、このような仕切り素地が物品間または物品と物品収容箱内面との間に介在される構成では、物品収容箱に大きな衝撃が加わるような場合に、収容された物品の損傷を確実に防止することができないおそれがある。
【０００８】
本発明は、このような問題を解決するものであり、その目的は、内部への物品の収容および取り出し作業を効率よく実施することができ、しかも、振動等によって物品が損傷することを確実に防止することができる物品収容容器を提供することにある。
【課題を解決するための手段】
【０００９】
本発明の物品収容容器は、複数の物品が収容される容器本体と、該容器本体の内部において、それぞれが伸縮可能であって、相互に平行な水平状態でそれぞれ配置された複数の仕切り部材と、前記容器本体における相互に対向する内面にそれぞれ設けられており、前記各仕切り部材のそれぞれの端部を、水平方向にスライド可能に支持するとともに、該水平方向の所定位置にて固定する一対の係止部材と、を具備する。
【００１０】
好ましくは、前記仕切り部材はコイルスプリングである。
【００１１】
好ましくは、前記仕切り部材はビニールテープである。
【００１２】
好ましくは、前記係止部材は、前記容器本体の相互に対向する内面における所定の高さ位置に水平状態で設けられたガイドレールと、前記各仕切り部材の端部にそれぞれ取り付けられており、該ガイドレールに沿ってそれぞれがスライド可能になった複数のスライド部材と、前記各スライド部材を前記ガイドレールにおける所望の位置にてそれぞれ固定する複数の固定部材とを備える。
【００１３】
好ましくは、前記スライド部材はボルトであり、前記固定部材は該ボルトにネジ結合されるナット部材である。
【発明の効果】
【００１４】
本発明の物品収容容器は、容器本体の内部において、それぞれが水平な状態で相互に平行状態になるように配置される複数の仕切り部材が、容器本体における相互に対向する内面にそれぞれ設けられた係止部材によって、それぞれが一定の間隔をあけた状態に固定される。従って、各物品を、容器本体内における相互に隣接した仕切り部材の間に挿入するだけで、各物品は垂直状態に保持される。従って、容器本体内に多数の物品を効率よく垂直状態に収容することができる。容器本体内に収容された各物品の間には、容器本体における相互に対向する内面にそれぞれの端部が固定された伸縮可能な仕切り部材が介在しているために、容器本体に大きな衝撃力が加わったような場合にも、各仕切り部材によって衝撃が吸収され、各物品に対する衝撃力が緩和される。これにより、各物品が変形したり損傷することを確実に防止することができる。
【発明を実施するための最良の形態】
【００１５】
以下、本発明を実施するための最良の形態について説明する。
【００１６】
図１は、本発明の物品収容容器の一例を示す斜視図、図２は、その平面図、図３は、その横断面図である。この物品収容容器Ａは、例えば、液晶表示パネルの周縁部に装着される長方形の枠状の保護ケース（ベゼル）を液晶表示パネルの製造工場に搬入する場合のように、薄い長方体形状である平板状物品を搬送するために使用される。物品収容容器Ａは、複数枚の平板状物品Ｂを、それぞれ垂直状態で内部に収容する容器本体（コンテナ）１０を有している。容器本体１０は、それぞれが長手方向に沿った一対の側面１１と、それぞれが幅方向に沿った一対の端面１２と、底面１３とによって、上面が開放された中空直方体状に構成されている。容器本体１０の上面の開口部は、例えば、長手方向の長さが１１００ｍｍ、幅方向の長さが５５０ｍｍに構成されている。また、容器本体１０の高さは３３０ｍｍに構成されている。容器本体１０の幅方向の両側に位置する各側面１１は、下側になるにつれて相互に接近するように、それぞれ傾斜した状態になっており、また、容器本体１０の長手方向の両側に位置する各端面１２は、下側になるにつれて相互に接近するように、それぞれ傾斜した状態になっている。
【００１７】
容器本体１０内の上部には、それぞれが各側面１２の長手方向に沿った水平状態であって相互に平行な状態に配置された複数の仕切り部材２１が設けられている。また、容器本体１０の上下方向の中央部にも、それぞれが各側面１１の長手方向に沿った水平状態であって相互に平行な状態に配置された複数の仕切り部材２１が設けられている。各仕切り部材２１は、それぞれ同様の構成になっており、各仕切り部材２１の両側の端部は、容器本体１０の各端面１２の上部および上下方向の中央部にそれぞれ取り付けられた係止部材３０に、容器本体１０の幅方向にスライド可能に取り付けられている。一対の係止部材３０の構成も、それぞれ同様になっている。
【００１８】
図４は、容器本体１０の一方の端面１２に取り付けられた係止部材３０の端部の斜視図、図５は、その断面図である。各仕切り部材２１は、長手方向に伸縮可能に構成されており、各仕切り部材２１のそれぞれの端部に取付用リング２２がそれぞれ取り付けられている。各仕切り部材２１は、例えば長手方向に伸縮可能なコイルスプリングによってそれぞれ構成されている。
【００１９】
各係止部材３０は、容器本体１０の各端面１２の上部および上下方向の中央部における所定の高さ位置にそれぞれ水平状態で取り付けられたガイドレール３１と、このガイドレール３１に対してスライド可能に係合する複数の蝶ボルト３２と、各蝶ボルト３２にそれぞれネジ結合された複数のナット部材３３とをそれぞれ有している。そして、各蝶ボルト３２の頭部に、各仕切り部材２１の両側の各端部にそれぞれ取り付けられた取付用リング２２がそれぞれ係合されて、各仕切り部材２１の端部が、蝶ボルト３２に取り付けられている。
【００２０】
各ガイドレール３１は、断面四角形状であって、長手方向のほぼ全体にわたって、容器本体１０の内部に向かって開放された開口部３１ａが設けられている。開口部３１ａには、各蝶ボルト３２の軸部がそれぞれ挿入されており、ガイドレール３１の内部に設けられたナット部材３３が、各蝶ボルト３２の軸部にそれぞれネジ結合されている。そして、蝶ボルト３２を所定方向へ回転させることによってナット部材３３との結合が緩められ、蝶ボルト３２は、ガイドレール３１の開口部３１に沿ってスライドし得る状態になる。また、蝶ボルト３２を反対方向へ回転させることによってナット部材３３との結合が強固になり、蝶ボルト３２は、ガイドレール３１の開口部３１における所望の位置に固定される。従って、蝶ボルト３２は、ガイドレール３１に対してスライドするスライド部材を構成し、ナット部材３３は、スライド部材である蝶ボルト３２をガイドレール３１の所望の位置に固定する固定部材を構成している。
【００２１】
このような構成の物品収納容器Ａでは、平板状物品Ｂを収容する際に、容器本体１０内の上部に設けられた各仕切り部材２１および上下方向の中央部に設けられた仕切り部材２１の各端部位置がそれぞれ水平方向に調整されて、水平方向に隣接する各仕切り部材２１同士の間隔が調整される。この場合、各仕切り部材２１の端部に設けられた取付リング２２が係合されている各蝶ボルト３２の頭部を回転させて、各蝶ボルト３２とネジ結合されたナット部材３３を緩めた状態として、各蝶ボルト３２を、ナット部材３３とともに、ガイドレール３１の開口部３１ａに沿ってスライドさせる。そして、蝶ボルト３２がガイドレール３１における水平方向の所望の位置にまでスライドされると、その位置において、蝶ボルト３２を反対方向に回転させて、蝶ボルト３２にネジ結合されたナット部材３３を強固に結合させる。これにより、各蝶ボルト３２は、ガイドレール３１における所望の位置にそれぞれ固定されることになる。
【００２２】
この場合、各蝶ボルト３２の頭部には、仕切り部材２１の端部に取り付けられた取付リング２２がそれぞれ係合しているが、仕切り部材２１は伸縮可能に構成されているために、各蝶ボルト３２の回転、スライド等を円滑に行うことができる。
【００２３】
このようにして、各仕切り部材２１のそれぞれの端部位置を調整するとによって、相互に隣接する各仕切り部材２１の間隔が、容器本体１０内に収容される平板状物品Ｂの厚さに対応した状態に調整される。この場合、容器本体１０内の上下方向中央部にそれぞれ設けられた各仕切り部材２１は、容器本体１０内の上部に位置決めされた各仕切り部材２１のそれぞれの直下に位置するように、それぞれ調整される。
【００２４】
容器本体１０内の上部および上下方向中央部にそれぞれ設けられた各仕切り部材２１の位置が調整されると、容器本体１０の上部および上下方向中央部において、上下方向に位置する一対の仕切り部材２１と、これら一対の仕切り部材２１に隣接する上下一対の仕切り部材２１との間に平板状物品Ｂが挿入される。これにより、平板状物品Ｂは、上下一対の仕切り部材２１と、隣接する上下一対の仕切り部材２１とによって、垂直状態に保持される。
【００２５】
このようにして、物品収容容器Ａの容器本体１０には、所定の枚数の平板状部材Ｂが、水平方向に隣接する仕切り部材２１の間に挿入される。この場合には、上下一対の仕切り部材２１と、隣接する上下一対の仕切り部材２１との間に平板状物品Ｂをそれぞれ挿入するという簡単な作業によって、複数枚の平板状物品Ｂを容器本体１０内に収容することができるために、容器本体１０内への平板状部材Ｂの収容作業を効率よく実施することができる。
【００２６】
物品収容容器Ａの容器本体１０には、所定の枚数の平板状部材Ｂが収容されると、物品収容容器Ａは、台車等によって搬送される。この場合、容器本体１０内に収容された各平板状物品Ｂは、両側の仕切り部材２１によって垂直状態に保持されており、しかも、隣接する平板状物品Ｂの間に、上下一対の仕切り部材２１が配置されているために、搬送に際しての振動等によって、隣接する平板状物品Ｂ同士が接触するおそれがなく、また、平板状物品Ｂと容器本体１０の各側面１１とが接触するおそれもない。また、各仕切り部材２１は、伸縮可能になっていることから、多少の衝撃が容器本体部１０に加わった場合にも、その衝撃が、各仕切り部材２１によって吸収されるために、平板状物品Ｂに衝撃が加わることが抑制される。その結果、各平板状物品Ｂが損傷することを確実に防止することができる。
【００２７】
特に、平板状部材Ｂが、液晶表示パネルに使用されるベゼルのような枠状であって、容易に変形および損傷するような場合にも、そのような変形および損傷を確実に防止することができる。
【００２８】
物品収容容器Ａに収容される平板状物品Ｂの種類（形状、大きさ等）が変更される場合には、変更される平板状物品Ｂの厚さに対応するように、上下一対の仕切り部材２１と、隣接する上下一対の仕切り部材２１の間隔が調整される。そして、各仕切り部材２１の位置が調整されると、以後、平板状物品Ｂの種類が変更されるまで、各仕切り部材２１の位置を調整する必要はない。
【００２９】
なお、上記実施形態において、仕切り部材２１としてコイルスプリングを使用する構成であったが、長手方向に伸縮可能な長尺物であれば、このようなコイルスプリングに限定されるものではなく、例えば、伸縮可能になったビニルテープ、ゴム紐等であってもよい。平板状物品Ｂが金属の場合、特に、平板状物品Ｂが、液晶表示パネルに使用されるベゼルのような枠状である場合には、液晶表示パネルに装着されると、液晶表示パネルが、静電気による帯電、微細な塵埃により、不良品となる可能性があるので、ビニルテープは、帯電防止処理および防塵処理されていることが好ましい。
【００３０】
また、容器本体１０内に収容される物品は、平板状物品に限らず、仕切り部材２１によって仕切られた領域内に垂直状態で収容し得る物品であればよい。
【００３１】
さらに、仕切り部材２１は、容器本体１０に収容される物品の形状、大きさ等に合わせて適当な本数を設けることができ、その本数は限定されるものではない。上記実施の形態のように、蝶ボルト３２およびナット部材３３によって、各仕切り部材２１の各端部が固定される構成であれば、仕切り部材２１は、ガイドレール３１から容易に取り外すことができ、使用する本数を容易に変更することができる。また、上記実施の形態のように、水平方向に複数本配置される仕切り部材２１を、容器本体１０の内部に上下２段に設ける構成に限らず、適当な高さ位置に１段だけ設ける構成、あるいは３段以上設けるようにしてもよい。
【００３２】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００３３】
本発明の物品収容容器は、複数枚の平板状物品の搬送に好適に使用することができる。
【図面の簡単な説明】
【００３４】
【図１】本発明の物品収容容器の一例を示す斜視図である
【図２】その物品収容容器の平面図である。
【図３】その物品収容容器の断面図である。
【図４】その物品収容容器に使用される係止部材の要部の斜視図である。
【図５】その係止部材の断面図である。
【符号の説明】
【００３５】
Ａ    物品収容容器
Ｂ    平板状物品
１０  容器本体
１１  側面
１２  端面
２１  仕切り部材
２２  取付リング
３０  係止部材
３１  ガイドレール
３１ａ  開口部
３２  蝶ボルト
３３  ナット部材
【図１】
2006008155.tif 000003
【図２】
2006008155.tif 000004
【図３】
2006008155.tif 000005
【図４】
2006008155.tif 000006
【図５】
2006008155.tif 000007